(57)【要約】【課題】燃料電池で構成された発電部の少なくとも一部を含む機器である電子機器と、燃料カートリッジとの接続を容易にするための燃料供給装置を提供することを目的とする。【解決手段】本発明による燃料供給装置は、ホルダ４と、第１コネクタ５と、第２コネクタ６と、連結管７とを有する。ホルダ４は電子機器１を搭載するための機器ホルダ部４１を有する。第１コネクタ５は機器ホルダ部４１に設けられている。第２コネクタ６は燃料カートリッジ３に接続される。機器ホルダ部４１は第１コネクタ５に対向する位置に、第１コネクタ５に対して電子機器１を押圧する支持部４１１を有する。【選択図】図１
2009087634.tif 000002
【特許請求の範囲】
【請求項１】
燃料電池で構成された発電部の少なくとも一部を含む機器と、燃料カートリッジと、を接続して前記燃料カートリッジ内の燃料を前記発電部側へ送るための燃料供給装置であって、
前記機器を搭載するための機器ホルダ部を有するホルダと、
前記機器ホルダ部に設けられ、前記機器に接続するための第１コネクタと、
前記燃料カートリッジに接続するための第２コネクタと、
前記第１コネクタと前記第２コネクタとを接続する連結管と、を備え、
前記機器ホルダ部は前記第１コネクタに対向する位置に、前記第１コネクタに対して前記機器を押圧する支持部を有する燃料供給装置。
【請求項２】
前記ホルダは、前記燃料カートリッジを保持可能なカートリッジホルダ部をさらに有し、
前記第２コネクタが前記カートリッジホルダ部に設けられた請求項１記載の燃料供給装置。
【請求項３】
前記ホルダは、前記機器ホルダ部を有する第１ホルダと、前記燃料カートリッジを保持可能なカートリッジホルダ部を有する第２ホルダとで構成され、
前記第２コネクタが前記カートリッジホルダ部に設けられた請求項１記載の燃料供給装置。
【請求項４】
前記第１コネクタは前記機器の厚み方向の長さよりも小径である請求項１記載の燃料供給装置。
【請求項５】
前記第１コネクタは前記ホルダとの間に遊びを有して前記機器ホルダ部に設けられた請求項１記載の燃料供給装置。
【請求項６】
前記ホルダに前記第１コネクタを可動に保持する弾性部材をさらに備えた請求項１記載の燃料供給装置。
【請求項７】
前記支持部は弾性部材を有する請求項１記載の燃料供給装置。
【請求項８】
前記機器とは外形形状の異なる第２の機器に対応し、前記第２の機器および前記機器ホルダ部に対し取り外し可能な保持部材をさらに備え、
前記第２の機器に前記保持部材を装着した際の全長が前記第１コネクタから前記支持部までの長さに対応し、前記保持部材を装着した前記第２の機器が前記機器ホルダ部に装着可能となる請求項１記載の燃料供給装置。
【発明の詳細な説明】
【技術分野】
【０００１】
本発明は、燃料電池で構成された発電部を含む機器と、燃料カートリッジとを接続して燃料カートリッジ内の燃料を発電部側へ送るための燃料供給装置に関する。
【背景技術】
【０００２】
近年、電子機器のポータブル化、コードレス化が急速に進んでおり、これらの駆動用電源として、小型かつ軽量で、高エネルギー密度を有する二次電池への要望も高まっている。さらに、充電の必要な二次電池よりも燃料供給によって長時間連続使用が可能な燃料電池が注目されている。
【０００３】
小型携帯電子機器に搭載される小型の燃料電池として、メタノールやメタノール水溶液、蟻酸水溶液などの液体燃料を用いるタイプの燃料電池が注目されている。このような燃料は人体に有害である。そのため、燃料カートリッジに封入されて供給され、燃料カートリッジのコネクタと燃料電池を搭載した電子機器側のコネクタとを直接接続して電子機器へと注入することが検討されている。そして燃料が漏れないようにこれらのコネクタの形状が開発されている。燃料カートリッジのコネクタと燃料電池を搭載した電子機器側のコネクタはそれぞれ、互いに接続されていない状態で燃料が漏れない構造を有している。具体的には燃料を貯蔵するタンク部分とコネクタ部分との間に、ばね圧を用いて弁を閉塞する構造が形成されている。そして両方のコネクタの弁体には突起が設けられている（例えば特許文献１）。
【特許文献１】特開２００７−１２８８５０号公報
【発明の開示】
【発明が解決しようとする課題】
【０００４】
上記従来の構造によるコネクタでは、両方のコネクタの弁体に設けられた突起同士を付き合わせてばね圧に抗してコネクタ同士を押し合うことにより弁が開き、燃料が流通する状態となる。しかしながらコネクタが小さい場合、高齢者などの視力の低下したユーザにはこれらのコネクタを、ばね圧に抗して確実に接続するのが容易ではない。また電子機器と燃料カートリッジとを接続させながら燃料カートリッジを手で押圧して燃料を電子機器側へ供給することは、子供や高齢者には困難である。さらに燃料カートリッジが電子機器に接続された状態で無理な力が作用するとコネクタ近傍で燃料カートリッジや電子機器が破損する可能性がある。
【０００５】
本発明は、これらの課題を解決し、燃料カートリッジ内の燃料を発電部側へ送ることを容易にするための燃料供給装置を提供することを目的とする。
【課題を解決するための手段】
【０００６】
上記目的を達成するために、本発明による燃料供給装置は、ホルダと、機器に接続するための第１コネクタと、燃料カートリッジに接続するための第２コネクタと、連結管とを有する。ホルダは、燃料電池で構成された発電部の少なくとも一部を含む機器を搭載するための機器ホルダ部を含む。第１コネクタは機器ホルダ部に設けられている。連結管は第１コネクタと第２コネクタとを接続している。機器ホルダ部は第１コネクタに対向する位置に、第１コネクタに対して機器を押圧する支持部を有する。
【０００７】
このような構造の燃料供給装置において、ユーザは機器ホルダ部に機器を嵌め込むだけで第１コネクタを機器に接続することができる。この状態で第２コネクタを燃料カートリッジに接続すれば燃料カートリッジ内の燃料を発電部側へ送ることができる。しかも支持部が機器のコネクタと第１コネクタによるばね圧を支える。ユーザはホルダに対して機器を押さえ続ける必要がない。
【発明の効果】
【０００８】
本発明によれば、機器と燃料カートリッジとを接続しやすくなる。しかもユーザはホルダに対して機器を押さえ続ける必要がない。そのため子供や高齢者にとっても電子機器側へ燃料を供給しやすくなる。さらに燃料カートリッジが機器と直接繋がらず、しかも機器がホルダに保持されているため燃料カートリッジや機器がそれぞれのコネクタ部やその周辺で破損する可能性も低下する。
【発明を実施するための最良の形態】
【０００９】
本発明の第１の発明は、燃料電池で構成された発電部の少なくとも一部を含む機器と、燃料カートリッジとを接続して燃料カートリッジ内の燃料を発電部側へ送るための燃料供給装置である。この燃料供給装置は、ホルダと、第１コネクタと、第２コネクタと、連結管とを有する。ホルダは機器を搭載するための機器ホルダ部を有する。燃料電池で構成された発電部の少なくとも一部を含む機器に接続するための第１コネクタは機器ホルダ部に設けられている。第２コネクタは燃料カートリッジに接続される。連結管は第１コネクタと第２コネクタとを接続している。機器ホルダ部は第１コネクタに対向する位置に、第１コネクタに対して機器を押圧する支持部を有する。このような構造の燃料供給装置において、ユーザは機器ホルダ部に機器を嵌め込むだけで第１コネクタを機器に接続することができる。この状態で第２コネクタを燃料カートリッジに接続すれば燃料カートリッジ内の燃料を発電部側へ送ることができる。そのため機器と燃料カートリッジとを接続しやすくなる。また支持部が機器を固定するため、燃料供給中に機器が安定保持される。さらに機器のコネクタ部と第１コネクタとのシーリングを確保するためのばね反力が機器の自重よりも大きい場合には、支持部がこのばね反力を支える。そのため、ユーザはホルダに対して機器を押さえ続ける必要がない。そのため子供や高齢者にとっても機器へ燃料を供給しやすくなる。また燃料カートリッジが機器と直接繋がらず、しかも機器がホルダに保持されているため燃料カートリッジや機器がそれぞれのコネクタ部やその周辺で破損する可能性も低下する。
【００１０】
本発明の第２の発明は、第１の発明において、ホルダが燃料カートリッジを保持可能なカートリッジホルダ部をさらに有し、第２コネクタがカートリッジホルダ部に設けられた燃料供給装置である。このようにホルダが燃料カートリッジをも保持可能とすることにより、機器と燃料カートリッジとを両方ともホルダにセットするだけで両者を容易に接続できる。
【００１１】
本発明の第３の発明は、第１の発明において、ホルダが、機器ホルダ部を有する第１ホルダと、燃料カートリッジを保持可能なカートリッジホルダ部を有する第２ホルダとで構成され、第２コネクタがカートリッジホルダ部に設けられた燃料供給装置である。このように分割された第１ホルダ、第２ホルダを用いて、それぞれに機器、燃料カートリッジを搭載させても第２の発明と同様の効果が得られる。
【００１２】
本発明の第４の発明は、第１の発明において、第１コネクタは機器の厚み方向の長さよりも小径である燃料供給装置である。本発明の構成は、このように機器の側面や底面の最も幅の狭い位置にコネクタ部が設けられている場合に、接続を容易にする効果を発揮できる。
【００１３】
本発明の第５の発明は、第１の発明において、第１コネクタがホルダとの間に遊びを有して機器ホルダ部に設けられた燃料供給装置である。このように第１コネクタがホルダとの間に遊びを有して設置されていることにより、機器を機器ホルダ部に保持させる際、第１コネクタに無理な力がかかって第１コネクタや機器のコネクタ部が破損することを防止できる。
【００１４】
本発明の第６の発明は、第１の発明において、ホルダが、第１コネクタを可動に保持する弾性部材を有する燃料供給装置である。ホルダに対して機器の挿入方向がずれた場合に、無理に機器のコネクタ部と第１コネクタとを結合しようとすれば両者のいずれか、またはホルダが破損する可能性がある。しかしながら第１コネクタをホルダに対して可動にする弾性部材を用いることによりこのような破損を防止することができる。この場合、支持部はこの弾性部材の復元力を支持する。
【００１５】
本発明の第７の発明は、第１の発明において、支持部が弾性部材を有する燃料供給装置である。この構成でも第６の発明と同様の効果を奏する。
【００１６】
本発明の第８の発明は、第１の発明において、機器とは外形形状の異なる第２の機器に対応し、この第２の機器および機器ホルダ部に対し取り外し可能な保持部材をさらに備えた燃料供給装置である。そして第２の機器に保持部材を装着した際の全長が第１コネクタから支持部までの長さに対応し、保持部材を装着した第２の機器が機器ホルダ部に装着可能となる。このように機器の長さを調整する保持部材を用いることにより、異なる長さの機器を機器ホルダ部に装着することができる。
【００１７】
以下、本発明の実施の形態について、図面を参照しながら説明する。なお、本発明は、本明細書に記載された基本的な特徴に基づく限り、以下に記載の内容に限定されるものではない。また、各実施の形態において、先行する実施の形態と同様の構成をなすものには同じ符号を付して説明し、詳細な説明を省略する場合がある。
【００１８】
（実施の形態１）
図１は本発明の実施の形態１による燃料供給装置に電子機器１と燃料カートリッジ３を接続した状態を示す概略断面図である。電子機器１は燃料電池で構成された発電部２を含む。なお電子機器１や燃料カートリッジ３の内部の詳細な構造は省略する。
【００１９】
この燃料供給装置は電子機器１と燃料カートリッジ３とを接続して燃料カートリッジ３内の燃料を発電部２側へ送る。この燃料供給装置は、ホルダ４と、第１コネクタ５と、第２コネクタ６と、連結管７とを有する。
【００２０】
ホルダ４は電子機器１を搭載するための機器ホルダ部４１を有する。電子機器１に接続するための第１コネクタ５は機器ホルダ部４１に設けられている。第２コネクタ６は燃料カートリッジ３に接続される。連結管７は第１コネクタ５と第２コネクタ６とを接続している。機器ホルダ部４１は第１コネクタ５に対向する位置に、第１コネクタ５に対して電子機器１を押圧する支持部４１１を有する。また電子機器１の側面に接して、第１コネクタ５に対して電子機器１を位置決めする位置決め部４１２を有する。
【００２１】
なお発電部２は、燃料電池とこの燃料電池の燃料を蓄えるためのタンクとを有している。図１において発電部２は電子機器１に内蔵されている。しかしながら発電部２は電子機器１と別体に設けられ、電子機器１の本体と組み合わせて使用してもよい。また上述のタンクあるいは燃料電池のいずれかだけが電子機器１と別体に設けられていてもよい。したがって電子機器は少なくとも燃料電池で構成された発電部の一部でも含めばよい。
【００２２】
ここで燃料とは、メタノールやその水溶液、蟻酸などの液体燃料を意図している。また燃料カートリッジ３は外部から加圧して燃料を送り出す方式でも、内圧が高く設定されていてその内圧によって燃料を送り出す方式でもよい。
【００２３】
第１コネクタ５、第２コネクタ６、ホルダ４、連結管７は樹脂および／または金属で構成されている。特に第１コネクタ５、第２コネクタ６、および連結管７は燃料と反応や溶解、溶出しにくい、または溶出しない材料で構成されている。
【００２４】
次に電子機器１のコネクタ部１１と第１コネクタ５の接続構造について説明する。図２は本実施の形態による燃料供給装置の第１コネクタ５と電子機器１のコネクタ部１１との構造を示す断面図である。コネクタ部１１は弁体１２とＯリング１３、１４とばね１５とを有する。また凹状のコネクタ部１１の周囲には基準面１６が形成されている。一方、第１コネクタ５はノズル部５１とＯリング５２、５５と弁体５３とばね５４とを有する。
【００２５】
この構成においてコネクタ部１１と第１コネクタ５とが接続を形成する手順を説明する。最初に第１コネクタ５にコネクタ部１１のノズル部５１を挿入する。このときコネクタ部１１の内壁にＯリング５２が密着し、コネクタ部１１と第１コネクタ５との間でシーリングを確保する。そのままノズル部５１を挿入し続けると、弁体１２と弁体５３とが互いの突起部で当たる。ここでばね５４はばね１５より強く設定されている。そのため、先に弁体１２が押し上げられ、Ｏリング１４によるシーリングが解放される。すなわちコネクタ部１１のバルブが開く。
【００２６】
さらにノズル部５１を挿入し続けると、ノズル部５１の先端がＯリング１３に当接して、Ｏリング１３によってトップシールドが形成される。さらにノズル部５１を挿入すれば弁体１２が上死点に達するため、弁体５３が押し下げられる。その結果、Ｏリング５５によるシーリングが解放される。すなわち第１コネクタ５のバルブが開く。そして基準面１６と第１コネクタ５の基準面５６とが当接してコネクタ部１１にノズル部５１を挿入する動作が終了する。
【００２７】
以上のようにしてコネクタ部１１と第１コネクタ５とが２重にシーリングされながら両者のバルブが開いて燃料を供給する経路が開いた状態になる。このようにコネクタ部１１と第１コネクタ５には燃料が外部へ漏れることを防ぐ機構が形成されている。また基準面１６、５６とバルブの開閉位置との精度を確保することによって電子機器１の全長に関わらず、上述のバルブシーケンスが極めて小さな挿入しろでも確実に実行される。なお図示しないが、燃料カートリッジ３のコネクタ部と第２コネクタ６も同様の構造を有している。
【００２８】
このような構造の燃料供給装置において、ユーザはホルダ４に設けられた支持部４１１を若干押し上げながら電子機器１をホルダ４に挿入し、電子機器１を位置決め部４１２に当接させつつ電子機器１のコネクタ部１１と第１コネクタ５とを結合させる。そして支持部４１１によって電子機器１を第１コネクタ５に対して押圧させるように、電子機器１を機器ホルダ部４１に装着する。
【００２９】
このように機器ホルダ部４１に電子機器１を嵌め込むだけで第１コネクタ５を電子機器１に接続することができる。この状態で第２コネクタ６を燃料カートリッジ３に接続すれば燃料カートリッジ３内の燃料を発電部２側へ送ることができる。そのため電子機器１と燃料カートリッジ３とを接続しやすくなる。また燃料カートリッジ３が電子機器１と直接繋がらず、しかも電子機器１がホルダ４に保持されているため燃料カートリッジ３や電子機器１がそれぞれのコネクタ部やその周辺で破損する可能性も低下する。
【００３０】
また支持部４１１は電子機器１を押圧させることで固定するため、燃料供給中に電子機器１が安定保持される。そのためユーザは電子機器１を保持する必要がない。さらに電子機器１のコネクタ部１１と第１コネクタ５とのシーリングを確保するためのばね反力が電子機器１の自重よりも大きい場合には、支持部４１１がこのばね反力を支えるように押圧する。そのため、ユーザはホルダ４に対して電子機器１を押さえ続ける必要がない。そのため子供や高齢者にとっても電子機器１側へ燃料を供給しやすくなる。
【００３１】
なお、図１では第２コネクタ６がホルダ４から離れて配置されているが、ホルダ４の、機器ホルダ部４１と反対側の側面上に設けてもよい。このように第２コネクタ６を配置すれば床面上で燃料カートリッジ３を滑らせながらホルダ４と燃料カートリッジ３を付き合わせることで燃料カートリッジ３と第２コネクタ６とを結合することができる。
【００３２】
また第１コネクタ５と第２コネクタ６とが互いに結合可能な形状を有することが好ましい。電子機器１と燃料カートリッジ３とは互いに直接結合可能なコネクタ部を有している場合、電子機器１と第１コネクタ５、燃料カートリッジ３と第２コネクタ６はそれぞれ結合可能である。したがって、第１コネクタ５と第２コネクタ６とは互いに結合可能である。これによって異なる形式、形状のコネクタ部を有し、電子機器１に適合しない他の燃料カートリッジを誤って接続することを防止できる。
【００３３】
なお、図１では第１コネクタ５を凸状、第２コネクタ６を凹状にしているが、電子機器１、燃料カートリッジ３のコネクタ部がそれぞれ凸状、凹状であれば、これに対応するように逆であってもよい。すなわち電子機器１、燃料カートリッジ３にそれぞれ結合可能であればよい。
【００３４】
特に第１コネクタ５は電子機器１の厚み方向の長さよりも小径であることが好ましい。本構成は、このように電子機器１の側面や底面の最も幅の狭い位置にコネクタ部が設けられている場合に、燃料カートリッジ３との接続を容易にする効果を発揮できる。
【００３５】
（実施の形態２）
図３、図４は本発明の実施の形態２による燃料供給装置に電子機器１と燃料カートリッジ３を接続した状態を示す概略断面図である。本実施の形態が実施の形態１と異なる点は、ホルダ４の構成である。すなわち、図１における支持部４１１は電子機器１をホルダ４に装着する際、押し上げるように変形される。しかしながら支持部４１１の構成はこれに限定されない。
【００３６】
図３におけるホルダ４は電子機器１を搭載するための機器ホルダ部４１Ａを有する。第１コネクタ５は機器ホルダ部４１Ａに設けられている。機器ホルダ部４１Ａは第１コネクタ５に対向する位置に、第１コネクタ５に対して電子機器１を押圧する支持部４１１Ａを有する。支持部４１１Ａは本体部４Ｍの上部に設けられ、本体部４Ｍに対してスライド可能に構成されている。
【００３７】
このように構成されたホルダ４に電子機器１を装着する際、まず支持部４１１Ａをスライドさせて第１コネクタ５の上方を解放する。そして本体部４Ｍに沿わせるようにして電子機器１を上から挿入し、コネクタ部１１を第１コネクタ５に結合する。そして支持部４１１Ａをスライドさせて図３に示す位置に戻し、電子機器１を第１コネクタ５に対して押圧させる。このような構造のホルダ４を用いても実施の形態１と同様の効果を奏する。
【００３８】
また図４におけるホルダ４は電子機器１を搭載するための機器ホルダ部４１Ｂを有する。第１コネクタ５は機器ホルダ部４１Ｂに設けられている。機器ホルダ部４１Ｂは第１コネクタ５に対向する位置に、第１コネクタ５に対して電子機器１を押圧する支持部４１１Ｂを有する。支持部４１１Ｂは弾性部材である平ばね部４１３を有する。
【００３９】
このように構成されたホルダ４に電子機器１を装着する際、平ばね部４１３を変形させることで電子機器１を機器ホルダ部４１Ｂに嵌め込む。このようにしてコネクタ部１１を第１コネクタ５に結合する。ここで平ばね部４１３は、ばね５４より強く設定されている。そして装着後は平ばね部４１３が電子機器１を第１コネクタ５に対して押圧する。このような構造のホルダ４を用いても実施の形態１と同様の効果を奏する。また平ばね部４１３が電子機器１をホルダ４に対して上下方向に可動に保持する。
【００４０】
電子機器１に適合したタイプの燃料カートリッジ３のみを接続し、誤ったタイプの燃料カートリッジを接続しないようにするため、電子機器１のコネクタ部１１と燃料カートリッジ３のコネクタ部にはメカニカルキーが形成されている場合がある。
【００４１】
燃料カートリッジ３のタイプとは、燃料の種類、濃度、燃料送出のための内圧の有無などである。電子機器１の発電部２に適合しない燃料を用いると、発電部２の燃料電池の性能が損なわれる可能性が高い。
【００４２】
このような電子機器１に対応するためには、第１コネクタ５にもメカニカルキーを形成する必要がある。その際、電子機器１のコネクタ部１１と第１コネクタ５のメカニカルキーが一致していなければ両者は結合しない。このような場合に、無理に電子機器１を機器ホルダ部４１Ｂに挿入してコネクタ部１１と第１コネクタ５とを結合しようとすれば、コネクタ部１１、第１コネクタ５、またはホルダ４が破損する可能性がある。しかしながら本実施の形態では、弾性部材である平ばね部４１３が電子機器１をホルダ４に対して上下方向に可動に保持している。そのため、上述のような破損を防止することができる。なお平ばね部４１３に代えて、ゴムなどの他の弾性部材で構成してもよい。
【００４３】
さらに図５に示すホルダ４を用いてもよい。図５（ａ）は本発明の実施の形態２によるさらに異なるホルダ４を用いた燃料供給装置に電子機器１と燃料カートリッジ３を接続した状態を示す概略断面図、図５（ｂ）はその要部断面図である。ただし、図２に示すような詳細な構造は省略している。
【００４４】
図５に示すホルダ４は、機器ホルダ部４１Ｃに弾性部材であるばね５Ｃを有し、ばね５Ｃは、ばね５４より強く設定され、第１コネクタ５Ｂをホルダ４に対して、上下方向に可動にしている。この構成でも図４の構成と同様の効果を奏する。なおこの構成では、支持部４１１Ｃは、ばね５Ｃの反力を支持する。なおばね５Ｃに代えて、ゴムなどの他の弾性部材で構成してもよい。
【００４５】
（実施の形態３）
図６は本発明の実施の形態３による燃料供給装置のホルダ４の要部断面図である。ただし、図２に示すような詳細な構造は省略している。
【００４６】
本実施の形態と実施の形態１とが異なる点は、第１コネクタ５Ｄがホルダ４との間に遊び４１４を有して機器ホルダ部４１Ｄに設けられていることである。このように第１コネクタ５Ｄがホルダ４との間に遊び４１４を有していることにより、コネクタ部１１に第１コネクタ５を案内する際、これらに横方向の無理な力が加わらず破損を防止することができる。
【００４７】
（実施の形態４）
図７は本発明の実施の形態４による燃料供給装置に電子機器１と燃料カートリッジ３を接続した状態を示す概略断面図である。本実施の形態が実施の形態１と異なる点は、ホルダ４が燃料カートリッジ３を保持可能なカートリッジホルダ部４２をさらに有し、第２コネクタ６がカートリッジホルダ部４２に設けられていることである。これ以外の構成は実施の形態１と同様である。
【００４８】
このようにホルダ４が燃料カートリッジ３をも保持可能とすることにより、電子機器１と燃料カートリッジ３とを両方ともホルダ４にセットするだけで両者を容易に接続できる。
【００４９】
図８は本実施の形態による他の燃料供給装置に電子機器１と燃料カートリッジ３を接続した状態を示す概略断面図である。図８に示す燃料供給装置が図７に示す燃料供給装置と異なる点は、ホルダ４が第１ホルダ４Ａ、第２ホルダ４Ｂに分割され、第１ホルダ４Ａに機器ホルダ部４１が、第２ホルダ４Ｂにカートリッジホルダ部４２が設けられている点である。このように分割された第１ホルダ４Ａ、第２ホルダ４Ｂを用いて、それぞれに電子機器１、燃料カートリッジ３を搭載させても図７と同様の効果を奏する。
【００５０】
（実施の形態５）
図９は本発明の実施の形態５による燃料供給装置に電子機器１と燃料カートリッジ３を接続した状態を示す概略断面図である。本実施の形態が図７に示す実施の形態４と異なる点は、電子機器１とは外形形状の異なる第２の機器である電子機器１Ａ、１Ｂが装着されていることである。そのために、電子機器１Ａ、１Ｂに対応し、電子機器１Ａ、１Ｂおよび機器ホルダ部４１に対し取り外し可能な保持部材６１、６２が設けられている。
【００５１】
図９（ａ）に示す例では、電子機器１に比べて長さの短い電子機器１Ａに保持部材６１を装着した際の全長が第１コネクタ５から支持部４１１までの長さに対応する。これにより保持部材６１を装着した電子機器１Ａが機器ホルダ部４１に装着可能となっている。
【００５２】
一方、図９（ｂ）に示す例では、電子機器１に比べて長さも厚みも短い電子機器１Ｂに保持部材６２が装着されている。そして装着状態の全長が第１コネクタ５から支持部４１１までの長さに対応するとともに、保持部材６２が位置決め部４１２に当接することで電子機器１Ｂのコネクタ部１１が第１コネクタ５に的確に挿入される。これにより保持部材６２を装着した電子機器１Ｂが機器ホルダ部４１に装着可能となっている。
【００５３】
このように、保持部材６１、６２を用いることにより電子機器１とは外形形状の異なる電子機器１Ａ、１Ｂもホルダ４に装着可能となるため、燃料供給装置の汎用性が向上する。
【００５４】
以上説明した各実施の形態に固有の構造は組み合わせて用いてもよい。なお実施の形態１〜４では、液体燃料を用いることを前提に説明したが、ブタンや水素などの気体燃料を用いる場合にも本発明は適用可能である。
【産業上の利用可能性】
【００５５】
本発明による燃料供給装置は、燃料カートリッジと電子機器との結合（接続）を容易にする。そのため電子機器への燃料供給が容易になる。しかも確実に電子機器が保持できるとともに、電子機器の第１コネクタなどのばね反力が大きい場合でも燃料供給装置に電子機器を押さえ続ける必要がない。この燃料供給装置は、小型の電子機器に小さなコネクタを介して燃料を供給するシステムにおいて利便性を向上するため有用である。
【図面の簡単な説明】
【００５６】
【図１】本発明の実施の形態１による燃料供給装置に電子機器と燃料カートリッジを接続した状態を示す概略断面図
【図２】同燃料供給装置の第１コネクタと電子機器のコネクタ部との構造を示す断面図
【図３】本発明の実施の形態２による燃料供給装置に電子機器と燃料カートリッジを接続した状態を示す概略断面図
【図４】本発明の実施の形態２による他の燃料供給装置に電子機器と燃料カートリッジを接続した状態を示す概略断面図
【図５】（ａ）本発明の実施の形態２によるさらに他の燃料供給装置に電子機器と燃料カートリッジを接続した状態を示す概略断面図、（ｂ）同要部断面図
【図６】本発明の実施の形態３による燃料供給装置のホルダの要部断面図
【図７】本発明の実施の形態４による燃料供給装置に電子機器と燃料カートリッジを接続した状態を示す概略断面図
【図８】本発明の実施の形態４による他の燃料供給装置に電子機器と燃料カートリッジを接続した状態を示す概略断面図
【図９】本発明の実施の形態５による燃料供給装置に電子機器と燃料カートリッジを接続した状態を示す概略断面図
【符号の説明】
【００５７】
１    電子機器
１Ａ，１Ｂ    電子機器（第２の機器）
２    発電部
３    燃料カートリッジ
４    ホルダ
４Ａ    第１ホルダ
４Ｂ    第２ホルダ
４Ｍ    本体部
５，５Ｂ，５Ｄ    第１コネクタ
５Ｃ，１５，５４    ばね
６    第２コネクタ
７    連結管
１１    コネクタ部
１２，５３    弁体
１３，１４，５２，５５    Ｏリング
１６，５６    基準面
４１，４１Ａ，４１Ｂ，４１Ｃ，４１Ｄ    機器ホルダ部
４２    カートリッジホルダ部
５１    ノズル部
６１，６２    保持部材
４１１，４１１Ａ，４１１Ｂ，４１１Ｃ    支持部
４１２    位置決め部
４１３    平ばね部
４１４    遊び
【図１】
2009087634.tif 000003
【図２】
2009087634.tif 000004
【図３】
2009087634.tif 000005
【図４】
2009087634.tif 000006
【図５】
2009087634.tif 000007
【図６】
2009087634.tif 000008
【図７】
2009087634.tif 000009
【図８】
2009087634.tif 000010
【図９】
2009087634.tif 000011